(57)【特許請求の範囲】
【請求項１】
略矩形板状の底壁部と、前記底壁部の各側辺部から上方に延出し、前記底壁部に対し回動可能に設けられた側壁部とを具備し、上方に開口する略箱状をなす折り畳み可能な容器本体と、
相対する一対の前記側壁部の上辺部に対してそれぞれ回動可能に取付けられ、前記容器本体の開口部を開閉可能であり、前記容器本体の開口部に対してほぼ垂直になるまで開放された状態から前記側壁部の外面に沿って下方にスライドさせることで前記側壁部の外面側に並設状態となるよう構成された一対の蓋部材とを備え、
前記各蓋部材には、前記容器本体の開口部を閉鎖した閉状態における上面側において、それぞれ一対の凹部が形成されることによって、当該一対の凹部間に作業者が把持可能な把持部が設けられており、
前記各蓋部材に形成された前記一対の凹部は、前記各蓋部材の回転軸線に沿って延びており、前記一対の凹部のうち、前記各蓋部材の開放側端縁側の凹部のみに対応して、前記把持部の上部から前記凹部の内周側に突出する庇部が設けられていることを特徴とする蓋付き容器。
【請求項２】
前記把持部は、前記蓋部材の長手方向に沿って延在していることを特徴とする請求項１に記載の蓋付き容器。
【発明の詳細な説明】
【技術分野】
【０００１】
本発明は、物品の運搬等に使用される蓋付き容器に関するものである。
【背景技術】
【０００２】
一般に、物品の運搬等に使用される蓋付き容器は、略矩形板状の底壁部と、底壁部の各側辺部から上方に延出する側壁部とを具備し、上方に開口する略箱状の容器本体と、容器本体の開口部を開閉可能な蓋部材とを備えている。また、一対の蓋部材が、相対する一対の側壁部の上辺部に対してそれぞれ回動可能に取付けられたものがある（例えば、特許文献１等参照。）。
【先行技術文献】
【特許文献】
【０００３】
【特許文献１】特開平１１−３５０３４号公報
【発明の概要】
【発明が解決しようとする課題】
【０００４】
しかしながら、相対する一対の側壁部の上辺部に対してそれぞれ扉部材が回動可能に取付けられる構成にあっては、一対の扉部材で容器本体の開口部を閉鎖した状態において、一対の扉部材の開放側端縁同士が突き合わされることとなる。このため、開放側端縁に指を掛け、蓋部材を持ち上げるようにして開方向に変位させる、といったことができなくなってしまう。
【０００５】
そこで、蓋部材の側辺部に指を掛けて蓋部材を開放し易くするべく、蓋部材の側辺部に対応する側壁部の上辺部や、蓋部材の側辺部の下面側に対して凹部を形成し、蓋部材の側辺部の下方に指を差し入れ易くしたもの（上記特許文献１の図３４、図３５参照）もある。しかしながら、かかる凹部を形成することによって、容器本体や蓋部材の形状に制約ができてしまい、その他の機能が低下する（例えば、シール性の低下等）等の不具合を招くことが懸念される。
【０００６】
さらに、蓋部材は、その大きさ（面積）に比して薄肉である場合が多く、蓋部材の側辺部を持って蓋部材を開閉させる場合には、蓋部材が若干捻られたような格好で撓んでしまうことが懸念される。そして、開閉される蓋部材に変形を来してしまうと、容器本体の開口部を閉鎖する際に一対の蓋部材の開放側端縁同士が上手く合致しなかったり、閉状態にある蓋部材を開方向へ変位させる際に、一対の蓋部材の開放側端縁同士が干渉し合って変位させ難くなったりしてしまうおそれがある。
【０００７】
本発明は、上記例示した問題点等を解決するためになされたものであって、その目的は、蓋部材の開閉作業性の向上を図ることのできる蓋付き容器を提供することにある。
【課題を解決するための手段】
【０００８】
以下、上記目的等を解決するのに適した各手段につき項分けして説明する。なお、必要に応じて対応する手段に特有の作用効果等を付記する。
【０００９】
手段１．略矩形板状の底壁部と、前記底壁部の各側辺部から上方に延出し、前記底壁部に対し回動可能に設けられた側壁部とを具備し、上方に開口する略箱状をなす折り畳み可能な容器本体と、
相対する一対の前記側壁部の上辺部に対してそれぞれ回動可能に取付けられ、前記容器本体の開口部を開閉可能であり、前記容器本体の開口部に対してほぼ垂直になるまで開放された状態から前記側壁部の外面に沿って下方にスライドさせることで前記側壁部の外面側に並設状態となるよう構成された一対の蓋部材とを備え、
前記各蓋部材には、前記容器本体の開口部を閉鎖した閉状態における上面側において、それぞれ一対の凹部が形成されることによって、当該一対の凹部間に作業者が把持可能な把持部が設けられており、
前記各蓋部材に形成された前記一対の凹部は、前記各蓋部材の回転軸線に沿って延びており、前記一対の凹部のうち、前記各蓋部材の開放側端縁側の凹部のみに対応して、前記把持部の上部から前記凹部の内周側に突出する庇部が設けられていることを特徴とする蓋付き容器。
【００１０】
手段１によれば、蓋部材に把持部が設けられているため、蓋部材の上面側から把持部を持って蓋部材を開閉動作させることができる。従って、蓋部材の開閉作業性を向上させることができるとともに、蓋部材と側壁部との間に手を挟む等の事態を回避することができる。また、把持部は、蓋部材の上面側において一対の凹部を設けることによって形成されているため、把持部の配置を比較的自由に設定することができる。特に、把持部が蓋部材の回転軸線方向における中央部やその近傍位置に設けられることによって、蓋部材を（片手でも）バランスよく持つことができ、蓋部材を開閉させる際に蓋部材が変形してしまうといった事態を抑制しつつ、蓋部材の開閉作業性をより向上させることができる。
【００１１】
さらに、把持部は、一対の凹部を設けることによって形成されているため、把持部が蓋部材の上面よりも上方に突出するといった事態を回避することができる。従って、閉状態にある蓋部材の上面側に別のものを載置する（例えば、同じ型の蓋付き容器を上下に積み重ねる）ような場合の利便性、安定性の向上等を図ることができる。また、蓋部材に一対の凹部、ひいては、把持部が形成されることによって、蓋部材の強度向上を図ることができ、蓋部材の変形等を抑制することができる。
【００１３】
また、手段１によれば、把持部を持つ際に庇部に指を引っ掛けることができ、蓋部材の持ち易さを向上させることができる。従って、蓋部材の開閉作業性の向上をより一層図ることができる。
【００１５】
また、手段１によれば、把持部を持つ際の親指の引っ掛かりが良くなり、蓋部材の持ち易さをより確実に向上させることができる。
【００１６】
手段２．前記把持部は、前記蓋部材の長手方向に沿って延在していることを特徴とする手段１に記載の蓋付き容器。
【００１７】
手段２によれば、把持部を蓋部材の長手方向に沿って設けることで、蓋部材の撓み変形を抑制するといった効果がより一層奏されることとなる。このため、蓋部材の開閉に際しての蓋部材の変形等をより確実に抑制することができ、開閉作業性の向上、シール性の向上等を図ることができる。
【図面の簡単な説明】
【００１８】
【図１】容器本体の開口部が蓋部材で閉鎖された状態にある蓋付き容器の斜視図である。
【図２】蓋部材の開放途中の状態を示す蓋付き容器の斜視図である。
【図３】蓋部材を側壁部の外面側に並設させる途中の状態を示す蓋付き容器の斜視図である。
【図４】蓋部材を側壁部の外面側に並設させた状態を示す蓋付き容器の斜視図である。
【図５】側壁部を折り畳む途中の状態を示す蓋付き容器の斜視図である。
【図６】全ての側壁部を折り畳んだ状態を示す蓋付き容器の斜視図である。
【図７】図１のＡ−Ａ線断面図である。
【図８】図１のＢ−Ｂ線断面図である。
【図９】図６のＣ−Ｃ線断面図である。
【図１０】第１側壁部、連結部材、及び、蓋部材を第１側壁部の外面側から見た場合の分解斜視図である。
【図１１】第１側壁部、及び、連結部材を第１側壁部の内面側から見た場合の分解斜視図である。
【図１２】第１側壁部及び連結部材を示す斜視図である。
【図１３】第１側壁部、連結部材、及び、蓋部材を示す斜視図である。
【図１４】第１側壁部、連結部材、及び、蓋部材を示す一部断面を含む斜視図である。
【図１５】蓋部材の上面側の斜視図である。
【図１６】蓋部材の下面側の斜視図である。
【図１７】第１側壁部、連結部材、及び、蓋部材の相対位置関係を説明するための側面模式図である。
【図１８】別の実施形態における蓋部材を示す一部断面を含む斜視図である。
【発明を実施するための形態】
【００１９】
以下に、一実施形態について図面を参照して説明する。図１〜図４等に示すように、蓋付き容器１は、上方に開口する略箱状の容器本体２と、容器本体２の開口部を開閉可能な一対の蓋部材３とを備えている。詳しくは後述するが、本実施形態の蓋部材３は、容器本体２の上辺部に対して回動可能に取付けられているとともに、容器本体２の外面側にスライドさせて、容器本体２の外面に沿わせて並設させておくことができるように構成されている。尚、容器本体２及び蓋部材３はポリプロピレンにより構成されている。
【００２０】
また、本実施形態の容器本体２は折り畳み可能に構成されている。図５〜図８等に示すように、容器本体２は、略正方形板状の底壁部１１と、底壁部１１の各側辺部に対応してそれぞれ回動可能に取付けられた側壁部１２とを備えている。図５、図７、図８に示すように、底壁部１１には、相対する一対の側辺部に沿ってそれぞれ底壁部１１から上方に突出する一対の第１土台部１４と、一対の第１土台部１４の一方の端部同士を連結するようにして底壁部１１の側辺部から上方に突出する第２土台部１５と、一対の第１土台部１４の他方の端部同士を連結するようにして底壁部１１の側辺部から上方に突出する第３土台部１６とが設けられている。
【００２１】
本実施形態では、側壁部１２は、それぞれ第１土台部１４、第２土台部１５、及び第３土台部１６に対して回動可能に支持されており、それぞれ土台部１４、１５、１６の上方に立設される起立位置と、底壁部１１の上方に重ねられるようにして畳まれる寝かせ位置との間を回動変位可能に構成されている。以下、第１土台部１４に対して回動可能に取付けられる側壁部１２を「第１側壁部１２ａ」とも称し、第２土台部１５に対して回動可能に取付けられる側壁部１２を「第２側壁部１２ｂ」とも称し、第３土台部１６に対して回動可能に取付けられる側壁部１２を「第３側壁部１２ｃ」とも称する。
【００２２】
また、図８に示すように、第３土台部１６の底壁部１１上面からの突出長は、第３側壁部１２ｃの厚みとほぼ同じであり、寝かせ位置にある第３側壁部１２ｃの上端縁（外面）と、第３土台部１６の上面とがほぼ面一とされる。さらに、第２土台部１５の底壁部１１上面からの突出長は、第３側壁部１２ｃの厚みと、第２側壁部１２ｂの厚みとを足した長さとほぼ同じであり、寝かせ位置にある第２側壁部１２ｂの上端縁（外面）と、第２土台部１５の上面とがほぼ面一とされる。加えて、図９に示すように、第１土台部１４の底壁部１１上面からの突出長は、第３側壁部１２ｃの厚みと、第２側壁部１２ｂの厚みと、第１側壁部１２ａの厚みとを足した長さよりも長く、寝かせ位置にある第１側壁部１２ａの上端縁（外面）は、第１土台部１４の上面よりも下方に位置するようになっている。
【００２３】
さらに、図４等に示すように、起立位置にある各側壁部１２ａ、１２ｂ、１２ｃの上辺部の高さ位置が揃う（略面一となる）ように構成されている。つまり、第２側壁部１２ｂの高さ方向における幅は、第１側壁部１２ａの高さ方向における幅よりも長く、第３側壁部１２ｃの高さ方向における幅は、第２側壁部１２ｂの高さ方向における幅よりも長くなっている。特に、本実施形態では、第１側壁部１２ａの高さ方向における幅の２倍の長さが、一対の第１土台部１４間の距離よりも若干短く、第２側壁部１２ｂの高さ方向における幅と、第３側壁部１２ｃの高さ方向における幅とを足した長さが、第２土台部１５と第３土台部１６との間の距離よりも長くなっている。
【００２４】
以上のような構成により、容器本体２は、図５等に示すように、全ての側壁部１２を起立位置として箱型に組立てられた状態から全ての側壁部１２を寝かせ位置とした折り畳み状態とする際に、第３側壁部１２ｃ→第２側壁部１２ｂ→第１側壁部１２ａの順に折り畳むこととなる。また、折り畳み状態では、第３側壁部１２ｃが、底壁部１１の直上方に重なり、第２側壁部１２ｂが第３側壁部１２ｃの直上方に重なり、第１側壁部１２ａが第２側壁部１２ｂの直上方に重なることとなる。さらに、寝かせ位置とされた一対の第１側壁部１２ａは、上辺部同士が突き合わされるようにして、一対の第１土台部１４の間にほぼぴったりと収まるようになっている（図９参照）。
【００２５】
図１０、図１１等に示すように、第１側壁部１２ａは、第１土台部１４の長手方向における長さとほぼ同じ幅を有する略矩形状の壁本体２１と、壁本体２１の両側辺部において壁本体２１の内面（起立位置では底壁部１１の内周側を向き、寝かせ位置では下側を向く面）から突出する係止壁２２と、壁本体２１の下面（起立位置では下側を向き、寝かせ位置では底壁部１１の外周側を向く面）から突出するヒンジ部２３とを備えている。
【００２６】
さらに、壁本体２１の係止壁２２との連接部近傍には、壁本体２１に対してコ字状にスリットが形成されることにより、その内周側において壁本体２１の厚み方向において撓み得る係止片２４が設けられている。係止片２４は、第１側壁部１２ａの長手方向（横幅方向）中央部側の端縁が壁本体２１と連結されて第１側壁部１２ａの側辺部側に向けて延び、その先端部には係止爪２４ａが設けられている。加えて、各係止壁２２には、第１側壁部１２ａの長手方向において貫通する挿入孔２５が形成されている。
【００２７】
また、ヒンジ部２３は、壁本体２１の下面から下方に向けて垂直に延出する略棒状の連結部２７と、連結部２７の先端部の両側面からそれぞれ第１側壁部１２ａの長手方向に沿って突出する一対の軸部２８とを備え、全体として略Ｔ字状をなしている。
【００２８】
図５等に示すように、第２側壁部１２ｂは、第２土台部１５の長手方向における長さとほぼ同じ幅を有する略矩形状の壁本体３１と、壁本体３１の両側部において壁本体３１の外面から突出する挿入突起３２と、壁本体３１の下面から突出するヒンジ部３３とを備えている。挿入突起３２は、前記第１側壁部１２ａの係止壁２２に形成された挿入孔２５に対応して設けられている。そして、第１側壁部１２ａを起立させた後、第２側壁部１２ｂを起立させることで、挿入突起３２が挿入孔２５に挿入されることとなる。さらに、第２側壁部１２ｂを起立させることで、第２側壁部１２ｂの壁本体３１の内面が、前記第１側壁部１２ａの係止片２４の係止爪２４ａによって係止されることとなる。これにより、第１側壁部１２ａ及び第２側壁部１２ｂの傾倒変位が防止されることができる。また、第２側壁部１２ｂのヒンジ部３３は、第１側壁部１２ａのものと同様に、連結部及び軸部を備えて略Ｔ字状をなしている。
【００２９】
尚、第３側壁部１２ｃは、基本的に第２側壁部１２ｂと同様の構成（第２側壁部１２ｂの壁本体３１を若干延ばしたような構成）を具備しており、壁本体３１と、挿入突起３２と、ヒンジ部３３とを備えている。また、第２側壁部１２ｂ及び第３側壁部１２ｃのヒンジ部３３の突出長は、第２側壁部１２ｂ及び第３側壁部１２ｃの厚みと同程度である。一方、第１側壁部１２ａのヒンジ部２３の突出長は、第１側壁部１２ａの厚みよりも長く構成され、上記のように第１側壁部１２ａを寝かせ位置とした場合に第１側壁部１２ａの上端縁（外面）を第１土台部１４の上面よりも下方に位置させることができるようになっている。
【００３０】
図７等に示すように、第１土台部１４は、底壁部１１の側辺部から上方に延びる内壁部４１と、内壁部４１の上縁部から外方に延出する上壁部４２と、上壁部４２の外縁部から下方に延びる外壁部４３とを備えている。また、各第１土台部１４には、第１側壁部１２ａのヒンジ部２３の軸部２８を軸支する壁軸受４５が形成されている。壁軸受４５は、内壁部４１と外壁部４３との間にヒンジ部２３の先端部を上方から挿入可能とするべく上壁部４２を切欠いて第１土台部１４を上方に開口させるとともに、ヒンジ部２３の連結部２７の回動変位を許容させるべく内壁部４１を切欠いて開口部を形成し、当該開口部の両側方において内壁部４１の上縁部から外壁部４３側に突出するフック部（図示略）を設けることで構成されている。そして、軸部２８が壁軸受４５のフック部の下面側に引っ掛かって軸支されることによって、第１側壁部１２ａが底壁部１１（第１土台部１４）に回動可能に支持されている。
【００３１】
尚、第２土台部１５及び第３土台部１６についても、基本構成は第１土台部１４と同様であるため、その説明を省略する。また、図５に示すように、第２土台部１５及び第３土台部１６には、第１側壁部１２ａを寝かせ位置とした場合に、第１側壁部１２ａの係止壁２２等が嵌入する位置決め凹部４８が形成されている。これにより、寝かせ位置とされた第１側壁部１２ａに対して水平方向に力が付加された場合に、第１側壁部１２ａのヒンジ部２３へ負担をかけることなく、第１側壁部１２ａのずれ移動を防止することができる。
【００３２】
さて、本実施形態では、相対する一対の第１側壁部１２ａの上辺部に対してそれぞれ蓋部材３が回動可能に取付けられている。さらには、蓋部材３が容器本体２の開口部に対してほぼ垂直になるまで開放された状態から、第１側壁部１２ａの外面に沿って下方にスライド可能に構成されている。尚、一対の蓋部材３は同形状のものであり、向い合せにしてそれぞれ第１側壁部１２ａに取付けられている。
【００３３】
より具体的に説明すると、図１０、図１１等に示すように、蓋付き容器１は、第１側壁部１２ａの上辺部に対して回動可能に取付けられる連結部材５と、連結部材５を第１側壁部１２ａの上辺部に対して回動可能に取付けるピン部材６とを備えている。本実施形態では、各第１側壁部１２ａの上辺部の両端部近傍位置にそれぞれ軸受部２９が設けられており、該一対の軸受部２９に対してそれぞれ連結部材５が取付けられている。そして、蓋部材３は、一対の連結部材５に対してスライド可能に取付けられている。これによって、蓋部材３は、第１側壁部１２ａに対し、一対の連結部材５を介して、回動可能かつスライド可能に取付けられている。
【００３４】
連結部材５は、略長板状の本体部５１と、本体部５１の長手方向一端部側から直交方向に突出し、蓋部材３を支持する蓋側連結部としてのフック部５２と、本体部５１の長手方向他端部側において、本体部５１の厚み方向に貫通し、ピン部材６を介して軸受部２９に軸支されることとなる側壁側連結部としての軸孔５４とを備えている。また、軸孔５４を囲うようにして周縁部から前記フック部５２と同方向に突出する円筒状のボス５５が設けられている。
【００３５】
本体部５１は、軸孔５４が設けられた端部側からフック部５２が設けられた端部側に向けて次第に幅広となるように構成されている。また、軸孔５４が形成された側の端部の外周縁は円弧状に形成されている。加えて、軸孔５４及びボス５５（ボス孔）は、当該本体部５１の円弧状の端縁と同心状に配置され、円弧状の端縁よりも一回り小さくなっている。
【００３６】
ピン部材６は、連結部材５の軸孔５４及びボス５５に挿通される円柱状の軸ピン６１と、軸ピン６１の一端部側に一体的に設けられた略四角箱状の摘み部６２とを備えている。摘み部６２には弾性変形可能な係止片６３（図１０参照）が設けられている。
【００３７】
これに対し、軸受部２９は、図１０等に示すように、第１側壁部１２ａの上辺部の両端部よりも若干中央部側の位置において下方に凹となるようにして形成され、連結部材５を挿入可能な挿入凹部７１と、挿入凹部７１の内側空間と第１側壁部１２ａの側辺部との間を連通させる第１取付孔７２と、挿入凹部７１を挟んで第１取付孔７２と対向する位置に形成された第２取付孔７３とを有している。
【００３８】
第１取付孔７２のうち第１側壁部１２ａの側辺部側の開口は、ピン部材６の摘み部６２を嵌入可能な四角形状に構成されている。また、第１取付孔７２のうち挿入凹部７１側の開口は、ピン部材６の軸ピン６１を挿入可能な円形状に構成されている。そして、図１２〜図１４等に示すように、挿入凹部７１に対して連結部材５を挿入し、第１取付孔７２及び第２取付孔７３と、連結部材５の軸孔５４及びボス５５とを位置合わせした状態で、ピン部材６の軸ピン６１を第１取付孔７２、軸孔５４、及び、ボス５５のボス孔に挿通（貫通）させるとともに、軸ピン６１の先端部を第２取付孔７３に挿入する（第２取付孔７３の内周面に支持させる）ことで、連結部材５が第１側壁部１２ａに対して回動可能に取付けられている。本実施形態では、連結部材５は、フック部５２が軸孔５４（ボス５５）の上方に相対位置する第１姿勢（図１２、図１３参照）と、フック部５２がボス５５の第１側壁部１２ａ外面側の側方に相対位置する第２姿勢（図１４、図１７（ｃ）、（ｄ）参照）との間を変位可能に構成されている。
【００３９】
加えて、図１０、図１２に示すように、軸受部２９には、第１取付孔７２に摘み部６２を嵌入すると、摘み部６２の係止片６３が係止される引っ掛け窓７４が形成されている。当該構成により、ピン部材６の脱落が防止されるようになっている。尚、第１取付孔７２に嵌入された摘み部６２は、第１側壁部１２ａの側辺部よりも外側に突出しないように構成されている。
【００４０】
また、図１３、図１６等に示すように、蓋部材３には、閉状態にある場合に下方を向く下面側において、各連結部材５のフック部５２に対してそれぞれスライド可能に係止される一対のスライドレール８１が設けられている。図１３、図１４等に示すように、各スライドレール８１は、蓋部材３の下面から突出する突出部８２と、突出部８２の先端縁から蓋部材３の側辺部側に向けて直交する方向に突出し、連結部材５のフック部５２に対してスライド可能に係止される係止部８３とを備えている。さらに、スライドレール８１は、蓋部材３の回転軸の遠心方向に沿って、蓋部材３の開放側端縁３ａから軸側端縁３ｂにかけて延びている。
【００４１】
そして、一対のスライドレール８１の係止部８３に対してそれぞれ連結部材５のフック部５２を引っ掛けた状態で、連結部材５を軸受部２９に挿入し、ピン部材６で連結部材５を第１側壁部１２ａに取付けることで、蓋部材３が連結部材５を介して第１側壁部１２ａに取付けられている（図１４、図１７（ｂ）等参照）。また、第１側壁部１２ａに対して回動可能な連結部材５に対して蓋部材３がスライド可能に取付けられることで、図１〜図４、図１７に示すように、蓋部材３は、連結部材５とともに第１側壁部１２ａに対して相対的に回動変位し、容器本体２の開口部を開閉可能に構成されるとともに、容器本体２の開口部に対してほぼ垂直になるまで開放された状態から、第１側壁部１２ａの外面に沿って連結部材５及び第１側壁部１２ａに対して相対的に下方へスライド変位し、第１側壁部１２ａの外面側に並設可能に構成されている。尚、軸受部２９の挿入凹部７１は、連結部材５のフック部５２に係止されたスライドレール８１の挿入をも許容するように形成されている。
【００４２】
また、図１２等に示すように、蓋部材３が容器本体２の開口部を閉鎖した閉状態にある場合、連結部材５が第１姿勢とされるとともに、当該連結部材５の上端部が第１側壁部１２ａの上辺部と略面一となる（又は上辺部よりも下方に位置する）ようになっている。特に、本実施形態では、連結部材５が第１姿勢にある場合には、連結部材５が第１側壁部１２ａの外面から突出しないように構成されている。このように、蓋部材３が閉状態にある場合には、連結部材５が第１姿勢となって第１側壁部１２ａの外面から突出しなくなるため、蓋部材３が閉状態にある場合においても第１側壁部１２ａから突出しているような場合の各種不具合（設置スペースを余分に取ってしまったり、連結部材５が損傷し易くなってしまったりする等）を回避することができる。
【００４３】
さらに、図８等に示すように、本実施形態のスライドレール８１は、蓋部材３の閉状態において、隣接側壁部としての第２側壁部１２ｂ及び第３側壁部１２ｃよりも容器本体２の内側に配置されるように構成されている。加えて、蓋部材３の閉状態においては、蓋部材３の下面のうちスライドレール８１よりも蓋部材３の側辺部側の部位等が、側壁部１２（第１側壁部１２ａ、第２側壁部１２ｂ、及び第３側壁部１２ｃ）の上辺部に載置されるようになっている。これにより、一対の蓋部材３を閉状態とすることで、容器本体２の開口部を完全に閉塞可能となっている。
【００４４】
一方、蓋部材３が第１側壁部１２ａの外面に沿って（上下に）延在した状態にある場合、連結部材５が第２姿勢とされるとともに、当該連結部材５のフック部５２は第１側壁部１２ａの外面よりも外方に突出位置するようになっている。これにより、蓋部材３全体を第１側壁部１２ａよりも外側に位置させ、蓋部材３を第１側壁部１２ａの外面側に並設させることが可能となっている。
【００４５】
加えて、図１３等に示すように、スライドレール８１は、係止部８３の長手方向両端部と、蓋部材３の下面との間を連結するストッパー部８４を備えている。これにより、蓋部材３のスライド量を制限することができ、蓋部材３の脱落等を防止することができる。ちなみに、蓋部材３の閉状態や、容器本体２の開口部を開閉するべく蓋部材３を回動変位させている状態においては、蓋部材３の軸側端縁３ｂ側のストッパー部８４と、連結部材５のフック部５２とが略当接状態とされる。一方、蓋部材３の第１側壁部１２ａの外面側への並設状態においては、蓋部材３の開放側端縁３ａ側のストッパー部８４と、連結部材５のフック部５２とが略当接状態とされる。
【００４６】
また、図１０、図１１、図１４等に示すように、連結部材５のフック部５２のうちスライドレール８１の突出部８２と対向する側端面５２ａは、蓋部材３（連結部材５）の回転軸線方向に対して直交する平坦面となっている上、蓋部材３のスライド方向において長い長方形状をなしている。特に、本実施形態では、蓋部材３のスライド方向において、フック部５２の側端面５２ａの幅は、ボス５５の外径よりも広く構成されている。さらに、本実施形態では、フック部５２の本体部５１からの突出長が、係止部８３の突出部８２からの突出長と同じか若干長く構成されており、フック部５２の側端面５２ａと、突出部８２とが当接可能に構成されている。例えば、蓋部材３が第１側壁部１２ａの外面側に並設した状態において正面視で時計回り方向に傾いた場合には、右側の連結部材５のフック部５２の側端面５２ａ上縁部と、右側のスライドレール８１の突出部８２とが当接するとともに、左側の連結部材５のフック部５２の側端面５２ａ下縁部と、左側のスライドレール８１の突出部８２とが当接し、それ以上の傾動変位が規制されることとなる。
【００４７】
尚、本実施形態では、蓋部材３が第１側壁部１２ａの外面側に並設した状態において、蓋部材３を第１側壁部１２ａのどちらかの側辺部側に水平にスライドさせて寄せることで、一対の連結部材５のうち一方の連結部材５のフック部５２の側端面５２ａと、対応するスライドレール８１の突出部８２とを面で当接させることができるとともに、この状態において、他方の連結部材５のフック部５２の側端面５２ａと、対応するスライドレール８１の突出部８２との間の距離（隙間）が１ｍｍ以上、５ｍｍ以下（例えば、約１ｍｍ）となっている。
【００４８】
加えて、フック部５２（側端面５２ａ）の蓋部材３のスライド方向における長さは、スライドレール８１の係止部８３と蓋部材３の下面との間の距離よりも大きくなっている。このため、フック部５２が、スライドレール８１の係止部８３と蓋部材３の下面との間の空間で回転することはなく、ひいては、連結部材５に対して蓋部材３が相対的に回動変位するようなこともない。
【００４９】
但し、フック部５２と、スライドレール８１の係止部８３、及び、蓋部材３の下面との間に全く隙間がないわけではなく、蓋部材３が完全に閉状態とされる際に蓋部材３の下面が側壁部１２の上辺部に対して広い範囲で当接するまで下降することを許容するのに十分な隙間が形成されている。このため、蓋部材３の回動動作をスムースに行うことができる、蓋部材３で容器本体２の開口部をぴったりと閉塞することができる、閉状態にある蓋部材３に対して下向きの力が付加されたとしても連結部材５に対してその力が作用することを回避し、連結部材５の損傷を防止することができる等の作用効果が奏される。
【００５０】
尚、上記隙間によって、蓋部材３が第１側壁部１２ａの外面側に並設した状態においても、蓋部材３の下面（この状態では第１側壁部１２ａの外面と対向している）が第１側壁部１２ａの外面に対して上下方向において広い範囲で当接するまでの蓋部材３の水平方向における変位が許容されるようになっていることとしてもよい。この場合、並設状態にある蓋部材３に対して第１側壁部１２ａに近接する側に力が付加されたとしても連結部材５に対してその力が作用することを回避することができるため、連結部材５の損傷を防止することができる。
【００５１】
また、図２、図１５等に示すように、蓋部材３には、蓋部材３の開放側端縁３ａから蓋部材３のうち容器本体２の開口部を閉鎖した閉状態で上方を向く上面を延長させるようにして突出形成された平面視略台形状の張出し部８５が設けられている。張出し部８５は、蓋部材３の開放側端縁３ａのうち、蓋部材３の回転軸線方向における中央部から、蓋部材３の一方の側辺部までの範囲において形成されている。さらに、蓋部材３の上面側には、一対の蓋部材３をともに閉状態とする際に、他方の蓋部材３の張出し部８５を収容可能な収容凹部８６が形成されている。そして、開状態にある一対の蓋部材３を同時に閉方向に変位させることで、張出し部８５の干渉を回避しつつ、一対の蓋部材３を閉状態とすることができ、一対の蓋部材３が閉状態とされると、各蓋部材３の張出し部８５が相手側の蓋部材３の収容凹部８６に収容されることとなる。これによって、張出し部８５を蓋部材３の上面から上方に突出しないように収納することができるとともに、蓋部材３同士が噛み合って、両者間の位置ずれや浮き上がりを防止することができる。
【００５２】
加えて、図２、図１６等に示すように、張出し部８５の下面側には、端縁等に沿って下方に突出する張出し側補強リブ８７が設けられる。また、図２、図１５等に示すように、収容凹部８６の上面側には、蓋部材３の開放側端縁３ａよりも内側に変位した位置において凹部側補強リブ８８が設けられている。さらに、張出し側補強リブ８７には、蓋部材３を閉状態とした場合に凹部側補強リブ８８と合致する位置において嵌合凹部８６が形成されている。これにより、一対の蓋部材３を閉状態とすることで、嵌合凹部８６が凹部側補強リブ８８に嵌合することとなり、閉状態とされた一対の蓋部材３が互いに離間するような相対変位を防止することができる。
【００５３】
尚、図４に示すように、蓋部材３を第１側壁部１２ａの外面側に並設させた状態では、蓋部材３の開放側端縁３ａは第１側壁部１２ａの上辺部と面一となっているが、張出し部８５は第１側壁部１２ａの上辺部よりも上方に突出している。さらに、かかる蓋部材３の並設状態では、蓋部材３の軸側端縁３ｂが第１側壁部１２ａの下辺部よりも下方に突出位置している。
【００５４】
また、本実施形態では、このように蓋部材３を第１側壁部１２ａの外面側に並設させた状態としてから、一対の第１側壁部１２ａを同時に内側へ傾倒させていくことで、上記のように、容器本体２を折り畳むことができるようになる（図６参照）。さらに、図６、図９に示すように、蓋付き容器１を折り畳んだ状態では、第１土台部１４の上面全体が蓋部材３で覆われるとともに、蓋部材３の下面が第１土台部１４の上面に当接する（支持される）ように構成されている。尚、上記のように、寝かせ位置とされた第１側壁部１２ａの上方において一対の第１土台部１４間の空間が確保されるため、蓋部材３のスライドレール８１等をかかる空間に収容するとともに、蓋部材３の下面を第１土台部１４の上面に支持させることができる。
【００５５】
加えて、図２、図４等に示すように、第２側壁部１２ｂ及び第３側壁部１２ｃの上辺部（上面）には、上方に突出する位置決め突部３５が設けられている。これに対応して、各蓋部材３には、閉状態とすることで、位置決め突部３５が挿通される位置決め開口部９１が形成されている。当該構成により、閉状態にある蓋部材３の水平方向における位置ずれが防止されることとなる。すなわち、蓋部材３が連結部材５に対してスライド可能に構成されていても、蓋部材３の閉状態においては、位置決め開口部９１に位置決め突部３５が挿通されること、及び、一方の蓋部材３の張出し部８５の張出し側補強リブ８７に形成された嵌合凹部８６が、他方の蓋部材の収容凹部８６に形成された凹部側補強リブ８８に嵌合すること等によって、蓋部材３の水平方向へのスライド変位が規制されるようになっている。
【００５６】
また、図１等に示すように、蓋部材３の上面には、蓋部材３の軸側端縁３ｂに沿って上方に突出するずれ止め凸部９２が設けられている。尚、ずれ止め凸部９２は、軸側端縁３ｂの長手方向両端部近傍には形成されていない。
【００５７】
これに対し、底壁部１１の下面側には、組立状態にある容器本体２の開口部を蓋部材３で閉塞した状態、又は、蓋付き容器１を折り畳んだ状態において、蓋付き容器１同士を上下に積み重ねる（段積みする）場合に、下側の蓋付き容器１のずれ止め凸部９２を嵌入可能なずれ止め凹部１９が形成されている。ずれ止め凹部１９は、略正方形板状をなす底壁部１１の４つの側辺部にそれぞれ対応して形成されている。そして、蓋付き容器１同士を段積みした場合に、下側の蓋付き容器１のずれ止め凸部９２が、上側の蓋付き容器１のずれ止め凹部１９に嵌入することで、上下に段積みされた蓋付き容器１同士の水平方向における位置ずれが防止されるようになっている。
【００５８】
尚、閉状態にある蓋部材３の位置決め開口部９１に挿通された位置決め突部３５は、図１等に示すように、蓋部材３の上面よりも上方にまで突出している。さらに、蓋部材３が閉状態にある蓋付き容器１の上に別の蓋付き容器１を段積みした場合には、下側の蓋付き容器１の位置決め突部３５についても上側の蓋付き容器１のずれ止め凹部１９に嵌入されるようになっている。これにより、位置決め効果がより一層奏されることとなる。
【００５９】
また、図１、図７、図１５等に示すように、本実施形態では、各蓋部材３の上面側には、それぞれ一対の凹部９４が形成されることによって、当該一対の凹部９４間に作業者が把持可能な把持部９５が設けられている。これにより、作業者は、把持部９５を持って（握って）蓋部材３を開閉動作させることができるようになっている。さらに、把持部９５（一対の凹部９４）は、蓋部材３の回転軸線に沿って延びている。特に、本実施形態では、蓋部材３の回転軸線方向が蓋部材３の長手方向となっているため、把持部９５は、蓋部材３の長手方向に沿って延在していることとなる。尚、本実施形態の凹部９４の深さ、すなわち、把持部９５の凹部９４底面からの突出長は約１０ｍｍとなっている。
【００６０】
さらに、一対の凹部９４間の距離、すなわち、把持部９５の厚みは、１０ｍｍ〜７０ｍｍ程度（例えば、約２０ｍｍ）であって、図７に示すように、一対の凹部９４の内側空間は、把持部９５を構成する一対の隔壁部９６によって隔てられている。このため、例えば、一対の凹部９４が１枚の隔壁部のみで隔てられる、すなわち、把持部９５が１枚の隔壁部で構成されるような場合に比べて、把持部９５の剛性を高めることができる。さらに、一対の凹部９４間の距離が離れすぎず、かつ、近すぎないことで、作業者が一対の凹部９４のうち一方の凹部９４に親指を挿入し、他方の凹部９４に親指以外の複数の指を挿入して、把持部９５を比較的容易に把持できるようになっている。また、把持部９５（一対の凹部９４）は、蓋部材３の回転軸線方向における中央位置、かつ、蓋部材３の回転軸の遠心方向における中央位置を含む範囲に設けられている。
【００６１】
また、図７等に示すように、蓋部材３の回転軸の遠心方向において並ぶ一対の凹部９４のうち、蓋部材３の開放側端縁３ａ側の凹部９４に対応して、把持部９５（隔壁部９６）の上縁部からかかる凹部９４の内周側（蓋部材３の開放側端縁３ａ側）に突出する庇部９７が設けられている。庇部９７の突出長は、庇部９７の厚みよりも若干長い程度となっている。尚、他方の凹部９４には庇部９７は設けられていない。また、庇部９７が設けられた凹部９４については、型成形時の型抜き性を考慮して、庇部９７が延出する隔壁部９６に対向する壁部が傾斜している。
【００６２】
以上のように、各蓋部材３に対してそれぞれ把持部９５が設けられることによって、作業者は、蓋部材３が閉状態にある蓋付き容器１に対して一対の蓋部材３の突き合わせの位置が体の正面に来るようにして相対位置し、各蓋部材３の一対の凹部９４のうち開放側端縁３ａ側の凹部９４に親指を挿入して該親指を庇部９７に引っ掛けるとともに、親指以外の複数本の指を他方の凹部９４（蓋部材３の回転軸側の凹部９４）に挿入して把持部９５を握り、蓋部材３を持ち上げるようにして蓋部材３を開方向へ変位させることができる。
【００６３】
また、折り畳み状態にある蓋付き容器１の容器本体２を箱型に組み立てる場合には、上記のように、先ず一対の第１側壁部１２ａを起立位置へと変位させる。本実施形態では、第１側壁部１２ａ自体には持ち手が形成されていないが、第１側壁部１２ａの外面側に並設状態となっている蓋部材３の把持部９５を持って寝かせ位置にある第１側壁部１２ａを起立位置へと変位させることができる。尚、第１側壁部１２ａを起立位置とする際には、第１側壁部１２ａに対して蓋部材３が第１側壁部１２ａの上方に抜け出してしまわないように、蓋部材３に対して極力第１側壁部１２ａの回転軸側に力を掛けつつ外側に引っ張ることとなる。さらに、第１側壁部１２ａが起立位置とされると、第１側壁部１２ａの下縁部よりも下方にまで延びる蓋部材３が第１土台部１４の外面（外壁部４３）に係止されるため、第１側壁部１２ａの内側への傾倒変位が抑制される。
【００６４】
以上詳述したように、本実施形態によれば、各蓋部材３に把持部９５が設けられているため、蓋部材３の上面側から把持部９５を持って蓋部材３を開閉動作させることができる。従って、蓋部材３の開閉作業性を向上させることができるとともに、蓋部材３と側壁部１２（第１側壁部１２ａ）との間に手を挟む等の事態を回避することができる。また、把持部９５は、蓋部材３の上面側において一対の凹部９４を設けることによって形成されているため、把持部９５の配置を比較的自由に設定することができる。特に、本実施形態では、把持部９５が蓋部材３の回転軸線方向における中央部付近に設けられている。このため、蓋部材３を（片手でも）バランスよく持つことができ、蓋部材３を開閉させる際に蓋部材３が変形してしまうといった事態を抑制しつつ、蓋部材３の開閉作業性をより向上させることができる。
【００６５】
さらに、把持部９５は、一対の凹部９４を設けることによって形成されているため、把持部９５が蓋部材３の上面よりも上方に突出するといった事態を回避することができる。従って、例えば、蓋付き容器１同士を段積みするような場合の利便性、安定性の向上等を図ることができる。また、蓋部材３に一対の凹部９４、ひいては、把持部９５が形成されることによって、蓋部材３の強度向上を図ることができ、蓋部材３の変形等を抑制することができる。
【００６６】
また、把持部９５は、蓋部材３の長手方向に沿って延在している。このため、把持部９５を形成することで蓋部材３の撓み変形を抑制するといった効果がより一層奏されることとなる。従って、蓋部材３の開閉に際しての蓋部材３の変形等をより確実に抑制することができ、開閉作業性の向上、シール性の向上、第１側壁部１２ａの外面側への並設時や折り畳み時の収納性の向上等を図ることができる。
【００６７】
さらに、各蓋部材３に形成された一対の凹部９４のうち蓋部材３の開放側端縁３ａ側の凹部９４に対応して、把持部９５の上辺部からかかる凹部９４の内周側に突出する庇部９７が設けられている。このため、把持部９５を持つ際に庇部９７に指を引っ掛けることができ、蓋部材３の持ち易さを向上させることができる。従って、蓋部材３の開閉作業性の向上をより一層図ることができる。
【００６８】
特に、一対の凹部９４のうち庇部９７が設けられた側の凹部９４は、作業者が把持部９５を持つ際に、作業者の親指が挿入される側の凹部９４である。このため、把持部９５を持つ際の親指の引っ掛かりが良くなり、蓋部材３の持ち易さをより確実に向上させることができる。尚、親指と、親指以外の指とで把持部９５を挟んで蓋部材３を持った状態において、親指だけで把持部９５の側面（隔壁部９６）を圧接支持するのに比べ、親指以外の複数の指で把持部９５の側面（隔壁部９６）を圧接支持する方が容易であり、滑り難い。このため、一対の凹部９４のうち親指が挿入される側に庇部９７を設けることで、蓋部材３の持ち易さを向上させるといった作用効果がより確実に奏されることとなる。
【００６９】
また、蓋部材３を第１側壁部１２ａの外面側に並設させた状態において、容器本体２を折り畳み可能となっている本実施形態においては、第１側壁部１２ａを起立位置と寝かせ位置とに変位させる際にも、蓋部材３の把持部９５を持って、蓋部材３及び第１側壁部１２ａともども傾動動作させることとなる。このとき、本実施形態のように、一対の凹部９４のうち蓋部材３の開放側端縁３ａ側の凹部９４に庇部９７が設けられることによって、親指を庇部９７に引っ掛けて、蓋部材３が第１側壁部１２ａの上辺部よりも上方に抜け出さないように下側に押さえつつ、蓋部材３及び第１側壁部１２ａを傾動させることができる。これに対し、例えば、蓋部材３の開放側端縁３ａ側の凹部９４に庇部９７がなく、蓋部材３の軸側端縁３ｂ側の凹部９４に庇部が設けられるような場合には、蓋部材３が抜け出さないように押さえておくことが比較的困難となる上、親指以外の指が庇部に引っ掛かって蓋部材３が持ち上がり易くなってしまうことが懸念される。従って、特に本実施形態のように容器本体２が折り畳み可能な蓋付き容器１の場合には、庇部９７を蓋部材３の開放側端縁３ａ側の凹部９４に対応して設けることが望ましい。
【００７０】
また、連結部材５は、第１側壁部１２ａの上辺部に形成された挿入凹部７１に挿入されるようにして軸受部２９に軸支されるようになっている。このため、蓋部材３の回転軸線方向において連結部材５が軸受部２９によって保護されることとなる。従って、連結部材５に対してその他の部材等が衝突し、連結部材５が損傷等してしまうといった事態を防止することができる。さらには、連結部材５をその両側方において支持可能であるため、連結部材５及び蓋部材３をより安定して支持可能であるとともに、連結部材５の両側方が軸受部２９の内側面で挟まれることによって、蓋部材３の回転軸線方向における連結部材５の変形を防止することができる。
【００７１】
さらに、蓋部材３の閉状態においてスライドレール８１が第２側壁部１２ｂと第３側壁部１２ｃとの間に位置するとともに、蓋部材３が第２側壁部１２ｂ及び第３側壁部１２ｃの上辺部に支持されるように構成されている。このため、蓋部材３の閉状態においてスライドレール８１が露出しなくなり、スライドレール８１の保護を図ることができる。従って、スライドレール８１に対してその他の部材等が衝突し、スライドレール８１が損傷等してしまうといった事態を防止することができる。さらには、スライドレール８１に埃等の異物が堆積してしまうことを抑制することができ、蓋部材３のスムースなスライド動作を比較的容易に維持することができる。
【００７２】
また、蓋部材３の閉状態において、連結部材５が第１側壁部１２ａの上辺部よりも上方に突出せず、かつ、スライドレール８１が第２側壁部１２ｂ及び第３側壁部１２ｃに干渉することもない。このため、第２側壁部１２ｂ及び第３側壁部１２ｃの上辺部と、蓋部材３の下面とを当接させることができ、容器本体２に対して蓋部材３が浮いてしまう（比較的大きな隙間ができてしまう）といった事態を回避することができる。従って、容器本体２の開口部を蓋部材３で好適に閉鎖することができる。さらには、蓋部材３の閉状態において、蓋部材３を連結部材５やスライドレール８１で支持しなくても済む。従って、連結部材５やスライドレール８１の損傷等を防止することができる。特に、蓋付き容器１同士の段積み等が可能で、蓋部材３に対して比較的大きな負荷がかかり得る構成においては、かかる作用効果が一層顕著なものとなる。
【００７３】
さらに、連結部材５のフック部５２のうち、スライドレール８１の突出部８２と当接可能な側端面５２ａは、蓋部材３（連結部材５）の回転軸線方向に対して直交する平坦面となっている上、蓋部材３のスライド方向において、フック部５２の側端面５２ａの幅が、ボス５５の外径よりも広く構成されている。このように側端面５２ａの幅をある程度確保することで、フック部５２と突出部８２との間に蓋部材３のスライドをスムースに行わせるための隙間を確保したとしても、蓋部材３を第１側壁部１２ａの外面に沿ってスライドさせる際に、蓋部材３が左右に（正面視で時計回りや反時計回り方向に）若干量傾いただけで、一対の連結部材５のフック部５２の側端面５２ａと、一対のスライドレール８１の突出部８２とが当接し、それ以上の傾倒変位が規制されるように構成することができる。従って、フック部５２の側端面５２ａと突出部８２との間に全く隙間がなかったり、或いは、蓋部材３をスライドさせる際に蓋部材３が左右に大きく傾倒してしまってつっかえたりすることを回避することができ、蓋部材３をスライドさせる際の作業性の向上等を図ることができる。加えて、並設状態にある蓋部材３が左右に傾いて第１側壁部１２ａの側辺部よりも側方に突出してしまうといった事態を回避することができ、蓋部材３の損傷防止等を図ることができる。
【００７４】
尚、上記実施形態の記載内容に限定されず、例えば次のように実施してもよい。勿論、以下において例示しない他の応用例、変更例も当然可能である。
【００７５】
（ａ）上記実施形態では、容器本体２が折り畳み可能に構成されているが、折り畳みのできない構成であってもよい。また、上記実施形態では、蓋部材３が第１側壁部１２ａの外面に沿って上下にスライド可能に構成されているが、蓋部材３が回動して容器本体２の開口部を開閉するだけで、上下にスライドはしない構成であってもよい。当該構成を採用する場合、連結部材５は側壁部１２又は蓋部材３に対して一体的に設けられていることとしてもよい。
【００７６】
さらに、上記実施形態では、各第１側壁部１２ａに対して１枚の蓋部材３が取付けられているが、複数枚の蓋部材を蓋部材の回転軸線方向において並ぶようにして取付けることとしてもよい。また、上記実施形態では、蓋部材３で容器本体２の開口部を完全に閉塞しているが、蓋部材３を閉状態としても一部開放されていたり、蓋部材３に開口部が形成されていたりしてもよい。
【００７７】
（ｂ）上記実施形態では、連結部材５は、ピン部材６によって第１側壁部１２ａに取付けられているが、連結部材５自体が軸ピンを一体的に備えて、第１側壁部１２ａに直接回動可能に取付けられるように構成してもよい。尚、当該構成を採用する場合、連結部材５の第１側壁部１２ａからの取外し方向と、蓋部材３を開閉する際に連結部材５が引っ張られる方向とが極力異なることが望ましい。つまり、蓋部材３（連結部材５）の回転軸線方向において連結部材５を着脱可能に構成したり、連結部材５の取外し方向が下方かつ容器本体２の内周方向となるように構成したりすることとしてもよい。
【００７８】
（ｃ）上記実施形態において、蓋部材３の下面側において、把持部９５を構成する一対の隔壁部９６間（一対の凹部９４間）を連結するリブを設けることとしてもよい。この場合、把持部９５、ひいては、蓋部材３の強度をより一層向上させることができる。尚、上記実施形態において、一対の凹部９４が一枚の隔壁部のみを挟んで隣接するように構成することも可能であるが、この場合、把持部９５の強度の低下を招くおそれがある上、持ち難くなるため、上記実施形態のように、把持部９５は相対する一対の隔壁部９６によって構成されることが望ましい。
【００７９】
（ｄ）上記実施形態では、把持部９５（一対の凹部９４）は、蓋部材３の長手方向でもある蓋部材３の回転軸線方向に沿って延びているが、その他の方向、例えば、図１８に示すように、蓋部材３の回転軸の遠心方向に沿って延びるように構成してもよい（但し、参考例）。また、把持部９５を蓋部材３の回転軸の遠心方向に延在させる場合には、一対の凹部９４の両方に対応して、把持部９５の上辺部から凹部９４の内周側に突出する庇部９７を設けることとする。すなわち、かかる構成においては、一対の凹部９４のどちらに対しても親指が挿入される可能性があるため、両方に庇部９７を設けておくことで、蓋部材３の開閉作業性の向上を確実に図ることができる。
【００８０】
また、各蓋部材３にそれぞれ形成される一対の凹部９４の形状や大きさは特に限定されるものではなく、把持部９５を構成する一対の凹部９４のうち、少なくとも一方（蓋部材３の開放側端縁３ａ側の凹部９４）は親指を挿入可能に構成され、他方は親指以外の指を複数本挿入可能に構成されていればよい。加えて、各蓋部材３には一対の凹部９４が設けられているが、少なくとも一対で設けられていれば把持部９５を構成することができ、例えば、所定の凹部９４の内側の空間を２つに区切るようにして壁部を形成することとしてもよい。
【００８１】
尚、上記実施形態のように、一対の凹部９４のうち一方だけに対応して庇部９７を設ける構成とすることで、アンダーカット形状となる部位を減少させることができ、蓋部材３を成形する金型構造の簡略化等を図ることができる。
【００８２】
（ｅ）上記実施形態では、連結部材５のフック部５２の側端面５２ａは、蓋部材３（連結部材５）の回転軸に対して直交する平坦面であり、かつ、蓋部材３のスライド方向に沿って長い長方形状をなしているが、当該側端面５２ａに対して碁盤目状に溝を形成したり、側端面５２ａの長手方向中間位置に切欠き部を形成したり、側端面５２ａを正面視略楕円形状や５角形以上の多角形状等にしたりしてもよい。
【００８３】
さらに、上記実施形態では、フック部５２の本体部５１からの突出長が、係止部８３の突出部８２からの突出長と同じか若干長く構成されているが、スライドレール８１の係止部８３の突出長をフック部５２の突出長よりも長くして、係止部８３の側端面が、連結部材５の本体部５１のうちフック部５２とボス５５との間の部位に当接可能に構成することとしてもよい。この場合においても、蓋部材３のスライド方向において、本体部５１のうち係止部８３の側端面と当接可能な部位の幅をある程度確保することで、蓋部材３のスライドに際しての左右への傾きを極力抑制することができる。但し、連結部材５の本体部５１のうちフック部５２が設けられる端部の方が中間部位よりも幅を広げ易い上、フック部５２の幅を広げることでスライドレール８１の係止状態の安定化やフック部５２の強化等も同時に図られるため、上記実施形態のように、フック部５２の側端面５２ａを突出部８２に当接可能に構成することが望ましい。
【００８４】
また、上記実施形態では、スライドレール８１の係止部８３は突出部８２から蓋部材３の側辺部側に突出しているが、蓋部材３の回転軸線方向における蓋部材３の中央部側に突出するように構成してもよい。この場合、さらに、蓋部材３の閉状態において、スライドレール８１（突出部８２）が第２側壁部１２ｂ及び第３側壁部１２ｃの内面に近接配置されることとしてもよい。この場合、蓋部材３と容器本体２との水平方向における位置ずれをスライドレール８１の側面（非使用面）によっても規制することができ、連結部材５の負担軽減を図ることができる。
【００８５】
加えて、上記実施形態では、底壁部１１が略正方形板状をなしているが、略長方形板状であってもよい。また、上記実施形態では、第２側壁部１２ｂ及び第３側壁部１２ｃを寝かせ位置とした場合に第２側壁部１２ｂ及び第３側壁部１２ｃの一部が上下に重なるように構成されているが、重なることなく水平方向に並んで収容されるように構成してもよい。
【００８６】
（ｆ）上記実施形態では、蓋付き容器１はポリプロピレンにより構成されているが、ポリエチレン、ＰＥＴ、ポリアミド等その他の樹脂材料により構成されることとしてもよい。
【符号の説明】
【００８７】
１…蓋付き容器、２…容器本体、３…蓋部材、５…連結部材、６…ピン部材、１１…底壁部、１２…側壁部、２９…軸受部、５２…フック部、５４…軸孔、６１…軸ピン、７１…挿入凹部、８１…スライドレール、８２…突出部、８３…係止部、９４…凹部、９５…把持部、９７…庇部。
【図１】
0005863468.tif 000002
【図２】
0005863468.tif 000003
【図３】
0005863468.tif 000004
【図４】
0005863468.tif 000005
【図５】
0005863468.tif 000006
【図６】
0005863468.tif 000007
【図７】
0005863468.tif 000008
【図８】
0005863468.tif 000009
【図９】
0005863468.tif 000010
【図１０】
0005863468.tif 000011
【図１１】
0005863468.tif 000012
【図１２】
0005863468.tif 000013
【図１３】
0005863468.tif 000014
【図１４】
0005863468.tif 000015
【図１５】
0005863468.tif 000016
【図１６】
0005863468.tif 000017
【図１７】
0005863468.tif 000018
【図１８】
0005863468.tif 000019